(57)【要約】【課題】電子機器を携帯するユーザの負担を軽減させるとともに、正規品であるか否かの認証をより精度良く行うことができる電力伝送ケーブルを提供する。【解決手段】バッテリの識別情報に基づいて電力供給の制御を行う携帯型電子機器１００のバッテリ装着部１１０に接続される本体コネクタ３１０が一端に形成され、バッテリに接続されるバッテリコネクタ３５０が他端に形成された電力伝送ケーブル３００において、本体コネクタ３１０は、バッテリ装着部１１０に装着されたか否かを判断する装着判断部と、電力を携帯型電子機器１００に供給する供給制御手段３３０と、携帯型電子機器１００と通信を行う通信端子３２１と、起動した携帯型電子機器１００から送信されてくるこの携帯型電子機器の識別情報に応じた認証情報を携帯型電子機器１００へ送信し、認証情報に応じて携帯型電子機器１００に電力供給の制御を開始させる認証処理手段３３５とを備える。【選択図】  図８
2008141795.tif 000002
【特許請求の範囲】
【請求項１】
バッテリ装着部に設けられた情報入力端子に入力されるバッテリの識別情報に基づいて、このバッテリからの電力供給を制御する携帯型電子機器と、
一端に、上記携帯型電子機器のバッテリ装着部に接続されるとともに、このバッテリ装着部に設けられた情報入力端子と電気的に接続される情報出力端子が設けられた本体コネクタが形成され、他端に上記バッテリと接続されるバッテリコネクタが形成され、このバッテリの電力とこのバッテリの識別情報とを伝送する電力伝送ケーブルとを備える携帯型電子機器システムにおいて、
上記電力伝送ケーブルの本体コネクタは、
上記携帯型電子機器のバッテリ装着部に装着されたか否かを判断するコネクタ側装着判断部と、
上記バッテリと接続された上記バッテリコネクタから伝送されてくる電力を上記携帯型電子機器に供給するコネクタ側供給制御手段と、
上記携帯型電子機器と通信を行うコネクタ側通信端子と、
上記コネクタ側装着判断部が上記バッテリ装着部に装着されたと判断したときに、上記コネクタ側供給制御手段に上記携帯型電子機器へ電力を供給させ、その後起動した上記携帯型電子機器から上記コネクタ側通信端子へ送信されてくるこの携帯型電子機器の識別情報とこの電力伝送ケーブルの識別情報とを照合して認証が成功したときに認証情報を上記コネクタ側通信端子から上記携帯型電子機器へ送信する本体コネクタ側認証処理手段とを有し、
上記携帯型電子機器は、
上記バッテリ又は上記本体コネクタが上記バッテリ装着部に装着されたかを判断する本体側装着判断部と、
上記本体コネクタが上記バッテリ装着部に装着されたときに、上記本体コネクタのコネクタ側通信端子と電気的に接続される本体側通信端子と、
上記本体側装着判断部が上記バッテリ装着部に上記本体コネクタが装着されたと判断したとき、上記携帯型電子機器の識別情報を上記本体側通信端子からこの本体コネクタのコネクタ側通信端子へ送信し、その後このコネクタ側通信端子から上記本体側通信端子へ送信されてくる認証情報に応じて、電力供給の制御を開始する本体側供給制御手段とを有する携帯型電子機器システム。
【請求項２】
上記電力伝送ケーブルの本体コネクタには、上記バッテリ装着部に装着されたときに押圧される押圧部が形成され、
上記コネクタ側装着判断部は、上記押圧部の押圧動作に応じて、上記バッテリ装着部に装着されたか否かを判断することを特徴とする請求項１記載の携帯型電子機器システム。
【請求項３】
上記携帯型電子機器のバッテリ装着部には、上記バッテリ又は上記本体コネクタのいずれか一方が上記バッテリ装着部に装着されたときに押圧される押圧部が形成され、
上記本体側装着判断部は、上記押圧部の押圧動作に応じて、上記バッテリ又は上記本体コネクタが上記バッテリ装着部に装着されたかを判断することを特徴とする請求項１記載の携帯型電子機器システム。
【請求項４】
バッテリ装着部に設けられた情報入力端子に入力されるバッテリの識別情報に基づいて電力供給の制御を行う携帯型電子機器のバッテリ装着部に接続されるとともに、このバッテリ装着部の情報入力端子と電気的に接続される情報出力端子が設けられた本体コネクタが一端に形成され、上記バッテリに接続されるバッテリコネクタが他端に形成され、このバッテリの電力とこのバッテリの識別情報とを伝送する電力伝送ケーブルにおいて、
上記本体コネクタは、
上記携帯型電子機器のバッテリ装着部に装着されたか否かを判断する装着判断部と、
上記バッテリと接続された上記バッテリコネクタから伝送されてくる電力を上記携帯型電子機器に供給する供給制御手段と、
上記携帯型電子機器と通信を行う通信端子と、
上記装着判断部が上記バッテリ装着部に装着されたと判断したときに、上記供給制御手段に上記携帯型電子機器へ電力を供給させ、その後起動された上記携帯型電子機器から上記通信端子に送信されてくるこの携帯型電子機器の識別情報とこの本体コネクタの識別情報とを照合して認証が成功したときに認証情報を上記通信端子から上記携帯型電子機器へ送信し、上記送信した認証情報に応じて上記携帯型電子機器に電力供給の制御を開始させる認証処理手段とを備える電力伝送ケーブル。
【請求項５】
バッテリの識別情報に基づいてこのバッテリからの電力供給を制御する携帯型電子機器において、
上記バッテリ及びこのバッテリが接続された電力伝送ケーブルのコネクタが装着され、上記バッテリの識別情報が入力される情報入力端子と、
上記コネクタと通信を行う通信端子とが設けられたバッテリ装着部と、
上記バッテリ又は上記電力伝送ケーブルのコネクタが上記バッテリ装着部に装着されたかを判断する装着判断部と、
上記装着判断部により上記電力伝送ケーブルが装着されたと判断されたときに、この携帯型電子機器の識別情報を上記通信端子から上記電力伝送ケーブルへ送信し、その後上記電力伝送ケーブルから上記通信端子へ送信されてくる認証情報に応じて、上記バッテリの識別情報に基づいた電力供給の制御を開始する供給制御手段とを備える携帯型電子機器。
【発明の詳細な説明】
【技術分野】
【０００１】
本発明は、バッテリの識別情報に基づいた電力供給の制御を行う携帯型電子機器システム、電力伝送ケーブル、及び携帯型電子機器に関する。
【背景技術】
【０００２】
一般的に、携帯型電子機器は、その機器本体に直接装着されるバッテリからの供給電力によって駆動する。また、このような携帯型電子機器のうち、特に携帯型のビデオカムコーダには、撮像画像の高画質化や長時間動作などの要求によって比較的大容量のバッテリが用いられる。そして、このようなビデオカムコーダは、そのバッテリの重量も大きくなるため、携帯するユーザへの負担を増大させる。
【０００３】
また、ビデオカムコーダには、被写体を照光するライトや音声などを検出するマイクなどの付属機器が取り付けられる。例えば、ビデオカムコーダに高照度特性を有するライトを取り付けるものとする。このような場合において、ライトには、その電力消費量が比較的大きいため、ビデオカムコーダから電源を供給せずにこのライト専用のバッテリが直接装着される。このため、ライトやマイクなどの付属機器が取り付けられたビデオカムコーダは、ビデオカムコーダ単体と比べて重くなるので、携帯するユーザへの負担をさらに増大させることとなる。
【０００４】
従来から、このような携帯型電子機器を携帯するユーザの負担を軽減させるために、機器本体に直接装着されるバッテリを一端のコネクタに接続して他端のコネクタを機器本体に接続して電力を伝送するケーブルが使用されている（特許文献１）。具体的に、このようなケーブルを用いることによって、ユーザは、バッテリが接続されたコネクタを腰部に取り付けて、機器本体を保持する腕や肩などへの負担を軽減することができる。
【０００５】
また、携帯型電子機器と、この携帯型電子機器へ電力を供給するバッテリとの間では、従来からバッテリが、特定の携帯型電子機器に対応する正規品であるか否かの認証を行っている。これは、正規品でないバッテリの中に、過放電や過電流などを防止する保護回路を備えていないものがあるからである。
【０００６】
このため、従来から、正規品である専用バッテリには、電力供給用の正極及び負極端子に加えて、そのバッテリの識別情報などを出力する情報出力端子を備えている。そして、携帯型電子機器は、情報出力端子から出力されるバッテリの識別情報に基づいて、装着されたバッテリが専用バッテリであるか否かの認証処理を行っている。
【０００７】
また、従来の専用電力伝送ケーブルには、電力を供給するための＋−極の２つの電力伝送線に加えて、バッテリの情報出力端子から出力されるバッテリの識別情報などを伝送する情報信号線が設けられている。このため、携帯型電子機器とその専用バッテリとの間では、専用電力伝送ケーブルを介してもバッテリ情報に基づいた認証処理を行うことができる。
【０００８】
また、専用バッテリ、専用電力伝送ケーブルのコネクタ、及び携帯型電子機器のバッテリ装着部の形状は、正規品同士のみで装着可能となるように、それぞれ設計されている。
【０００９】
【特許文献１】特開平４―１４２１７１号公報
【発明の開示】
【発明が解決しようとする課題】
【００１０】
携帯型電子機器、その専用電力伝送ケーブルのコネクタ、及び専用バッテリのそれぞれの形状を、正規品であるか否かの認証を行うように設計しても、このような形状を模倣した非正規品を製造することは容易である。すなわち、形状に専用性を施すだけでは、正規品であるか否かの認証を精度良く行うことができない。
【００１１】
本発明は、このような実情に鑑みて提案されたものであり、電子機器を携帯するユーザの負担を軽減させるとともに、正規品であるか否かの認証をより精度良く行うことができる携帯型電子機器システム、電力伝送ケーブル、及び携帯型電子機器を提供することを目的とする。
【課題を解決するための手段】
【００１２】
上述した課題を解決するための手段として、本発明は、バッテリ装着部に設けられた情報入力端子に入力されるバッテリの識別情報に基づいて、このバッテリからの電力供給を制御する携帯型電子機器と、一端に、上記携帯型電子機器のバッテリ装着部に接続されるとともに、このバッテリ装着部に設けられた情報入力端子と電気的に接続される情報出力端子が設けられた本体コネクタが形成され、他端に上記バッテリと接続されるバッテリコネクタが形成され、このバッテリの電力とこのバッテリの識別情報とを伝送する電力伝送ケーブルとを備える携帯型電子機器システムであって、上記電力伝送ケーブルの本体コネクタは、上記携帯型電子機器のバッテリ装着部に装着されたか否かを判断するコネクタ側装着判断部と、上記バッテリと接続された上記バッテリコネクタから伝送されてくる電力を上記携帯型電子機器に供給するコネクタ側供給制御手段と、上記携帯型電子機器と通信を行うコネクタ側通信端子と、上記コネクタ側装着判断部が上記バッテリ装着部に装着されたと判断したときに、上記コネクタ側供給制御手段に上記携帯型電子機器へ電力を供給させ、その後起動した上記携帯型電子機器から上記コネクタ側通信端子へ送信されてくるこの携帯型電子機器の識別情報とこの電力伝送ケーブルの識別情報とを照合して認証が成功したときに認証情報を上記コネクタ側通信端子から上記携帯型電子機器へ送信する本体コネクタ側認証処理手段とを有し、上記携帯型電子機器は、上記バッテリ又は上記本体コネクタが上記バッテリ装着部に装着されたかを判断する本体側装着判断部と、上記本体コネクタが上記バッテリ装着部に装着されたときに、上記本体コネクタのコネクタ側通信端子と電気的に接続される本体側通信端子と、上記本体側装着判断部が上記バッテリ装着部に上記本体コネクタが装着されたと判断したとき、上記携帯型電子機器の識別情報を上記本体側通信端子からこの本体コネクタのコネクタ側通信端子へ送信し、その後このコネクタ側通信端子から上記本体側通信端子へ送信されてくる認証情報に応じて、電力供給の制御を開始する本体側供給制御手段とを有する。
【００１３】
また、本発明は、バッテリ装着部に設けられた情報入力端子に入力されるバッテリの識別情報に基づいて電力供給の制御を行う携帯型電子機器のバッテリ装着部に接続されるとともに、このバッテリ装着部の情報入力端子と電気的に接続される情報出力端子が設けられた本体コネクタが一端に形成され、上記バッテリに接続されるバッテリコネクタが他端に形成され、このバッテリの電力とこのバッテリの識別情報とを伝送する電力伝送ケーブルであって、上記本体コネクタは、上記携帯型電子機器のバッテリ装着部に装着されたか否かを判断する装着判断部と、上記バッテリと接続された上記バッテリコネクタから伝送されてくる電力を上記携帯型電子機器に供給する供給制御手段と、上記携帯型電子機器と通信を行う通信端子と、上記装着判断部が上記バッテリ装着部に装着されたと判断したときに、上記供給制御手段に上記携帯型電子機器へ電力を供給させ、その後起動された上記携帯型電子機器から上記通信端子に送信されてくるこの携帯型電子機器の識別情報とこの本体コネクタの識別情報とを照合して認証が成功したときに認証情報を上記通信端子から上記携帯型電子機器へ送信し、上記送信した認証情報に応じて上記携帯型電子機器に電力供給の制御を開始させる認証処理手段とを備える。
【００１４】
また、本発明は、バッテリの識別情報に基づいてこのバッテリからの電力供給を制御する携帯型電子機器であって、上記バッテリ及びこのバッテリが接続された電力伝送ケーブルのコネクタが装着され、上記バッテリの識別情報が入力される情報入力端子と、上記コネクタと通信を行う通信端子とが設けられたバッテリ装着部と、上記バッテリ又は上記電力伝送ケーブルのコネクタのいずれか一方が上記バッテリ装着部に装着されたかを判断する装着判断部と、上記装着判断部により上記電力伝送ケーブルが装着されたと判断されたときに、この携帯型電子機器の識別情報を上記通信端子から上記電力伝送ケーブルへ送信し、その後上記電力伝送ケーブルから上記通信端子へ送信されてくる認証情報に応じて、上記バッテリの識別情報に基づいた電力供給の制御を開始する供給制御手段とを備える。
【発明の効果】
【００１５】
本発明は、携帯型電子機器とバッテリとの間を電力伝送ケーブルを介して接続することによって、携帯するユーザの負担を軽減させることができる。さらに、本発明は、携帯型電子機器から電力伝送ケーブルへ識別情報を通信し、これらの識別情報に基づいて認証処理を行って、認証が成功した後に携帯型電子機器が電力供給の制御を開始するので、携帯型電子機器に接続されるバッテリ及び電力伝送ケーブルが正規品であるか否かの認証を精度良く行うことができる。
【発明を実施するための最良の形態】
【００１６】
以下、本発明を実施するための最良の形態について、図面を参照しながら詳細に説明する。
【００１７】
本実施形態において、本発明に係る携帯型電子機器システムは、その一例として、次に示すようなものから構成される。
【００１８】
図１は、被写体像を撮像するカムコーダ１０００と、カムコーダ１０００に装着されるライト１００と、このライト１００に電力を供給するライト用バッテリ２００と、ライト用バッテリ２００からライト１００へ電力を供給するライト用ケーブル３００とを示す概略図である。ここで、ライト１００は、本発明に係る携帯型電子機器の一例として用いられるものである。また、ライト用ケーブル３００は、本発明に係る電源供給ケーブルの一例として用いられるものである。
【００１９】
カムコーダ１０００は、この装置に装着されたバッテリから供給される電力によって、被写体像を撮像する携帯型の撮像装置である。
【００２０】
ライト１００は、カムコーダ１０００が撮像する被写体を照光する携帯型の光源装置であって、カムコーダ１０００に取り付けられて用いられるものである。また、ライト１００には、ライト用バッテリ２００及びライト用ケーブル３００が着脱可能に装着されるバッテリ装着部１１０が形成されている。
【００２１】
ライト用バッテリ２００は、ライト１００へ電力を供給する電源装置であって、具体的にはリチウムイオンバッテリなどの二次電池である。また、ライト用バッテリ２００は、後述のように、ライト１００のバッテリ装着部１１０及びライト用ケーブル３００との間でそれぞれ着脱可能な形状の係合部を有している。
【００２２】
ライト用ケーブル３００は、ライト１００との間で着脱可能に接続されるライト側コネクタ３１０と、ライト用バッテリ２００との間で着脱可能に接続されるバッテリ側コネクタ３５０と、このバッテリ側コネクタ３５０からライト側コネクタ３１０へ電力を供給するケーブル部３４０とから構成される。
【００２３】
一般的にライト１００は、上述したライト用ケーブル３００を介さずにライト用バッテリ２００と直接接続して使用する。しかし、上述したように、ライト１００は、ライト用ケーブル３００を介してライト用バッテリ２００から電力が供給されるようにすることで、次の具体例に示すようにユーザの負担を軽減することができる。
【００２４】
例えば、ライト用ケーブル３００は、そのバッテリ側コネクタ３５０をユーザの腰部に取り付けられることによって、カムコーダ１０００本体を保持するユーザの腕や肩などへの負担を軽減することができる。
【００２５】
すなわち、ユーザの腕や肩などに負荷される荷重は、ライト用ケーブル３００を介してライト用バッテリ２００から電力を供給することで、ライト１００とライト用バッテリ２００とを直接接続した場合に比べて、ライト用バッテリ２００の重量分軽減されることになるからである。また、ライト１００とライト用バッテリ２００とを直接接続した場合に比べて、そのカムコーダ１０００全体での重量のバランスも良くすることができるからである。
【００２６】
また、ライト１００は、そのバッテリ装着部１１０に装着されたバッテリが、次のような理由によってライト用バッテリ２００であるか否かの認証を行い、認証が成功した場合にのみ、電力を供給して動作する。
【００２７】
また、ライト１００とライト用ケーブル３００のライト側コネクタ３１０とが係合される係合部の形状は、後述するように、正規品同士のみで着脱可能となるように設計されている。
【００２８】
しかしながら、このような係合部の形状を正規品同士のみで装着可能となるように設計しても、このような形状を模倣してライト１００との間で着脱可能な形状の係合部を有する電力伝送ケーブルを製造することは容易である。すなわち、このような従来のライト１００及びライト用ケーブル３００では、正規品であるか否かの認証の度合いが不十分である。
【００２９】
本実施形態では、後述する識別情報に基づいて、正規品であるか否かの認証処理を行うライト１００及びライト用ケーブル３００の構成と動作に注目して以下のとおり説明する。
【００３０】
ライト１００には、図２に示すように、例えば、ライト１００の背面側に設けられているバッテリ装着部１１０にライト用バッテリ２００が矢印Ａの方向へスライドすることにより装着される。また、このバッテリ装着部１１０は、ライト用バッテリ２００以外に、ライト用ケーブル３００のライト側コネクタ３１０が着脱可能な形状を有している。
【００３１】
具体的には、このバッテリ装着部１１０は、図３に示すような形状を有することにより、ライト用バッテリ２００が装着されて電力が供給可能となる。
【００３２】
ライト１００のバッテリ装着部１１０には、装着されたライト用バッテリ２００の底面２１２ａ（図５参照）と密接するバッテリ載置面１１１と、このバッテリ載置面１１１の略中心部に形成された凹部１１２とが設けられている。また、バッテリ載置面１１１には、ライト用バッテリ２００及びライト側コネクタ３１０を装着方向Ａにガイドするためのガイド凸部１１３が形成されている。
【００３３】
また、凹部１１２は、後述するように、ライト用ケーブル３００のライト側コネクタ３１０に形成された凸部３１２（図７参照）と密接する。また、この凹部１１２には、ライト側コネクタ３１０が装着されたときに押圧される押圧部１１４が設けられている。すなわち、この押圧部１１４は、ライト用バッテリ２００が装着されたときには押圧されず、ライト側コネクタ３１０が装着されたときに押圧されるようになっている。このような押圧部１１４の押圧動作によって、ライト用バッテリ２００又はライト側コネクタ３１０がバッテリ装着部に装着されたか否かが、後述する供給制御部によって判断される。
【００３４】
また、バッテリ装着部１１０には、装着されたライト用バッテリ２００及びライト側コネクタ３１０を固定するための突起部１１５，１１６が、バッテリ載置面１１１の長手方向に相対してそれぞれ形成されている。また、この突起部１１５と突起部１１６との間には、バッテリ載置面１１１に対して直交方向に移動可能であって、装着されたライト用バッテリ２００又はライト側コネクタ３１０を、この移動によってロックをしたり、このロックを解除するロック用突起部１１７が設けられている。
【００３５】
また、バッテリ装着部１１０には、その装着端に、電気的な接続を行う端子部１１８が形成されている。具体的な端子部１１８の構成に関しては後述する。
【００３６】
上述した構成を有するバッテリ装着部１１０に装着されるライト用バッテリ２００は、図４に示すように、上ケース２１１と底ケース２１２とからなるケース２１０を有する。
【００３７】
このライト用バッテリ２００の上ケース２１１には、その上面２１１ａの幅方向の略中心部から装着方向に沿って、ガイド溝２１１ｂが形成されている。このガイド溝２１１ｂは、ライト用バッテリ２００が電子機器に設けられたバッテリ収納部に収納されるときに、その収納方向へガイドするための溝である。
【００３８】
このライト用バッテリ２００の底ケース２１２には、ライト１００のバッテリ装着部１１０に対する装着方向（長手方向）の前面部２２０に、ケース２１０の幅方向の両側に第１の出力端子２２１及び第２の出力端子２２２がそれぞれ配置され、この第２の出力端子２２２に隣接して情報出力端子２２３が配設されている。
【００３９】
この第１の出力端子２２１及び第２の出力端子２２２は電力を供給するときの電源電極として機能する。また、情報出力端子２２３は、ライト用バッテリ２００の識別情報やこのバッテリの残電力量などの情報信号を出力する。
【００４０】
また、ライト用バッテリ２００の底ケース２１２の周囲には、図５に示すように、リブを有するガイド穴２０８Ａ，２０８Ｂ（総称してガイド穴２０８という。）と、ガイド穴２０９Ａ，２０９Ｂ（総称してガイド穴２０９という。）とが、底ケース２１２の長手方向に相対して、それぞれ形成されている。これらのガイド穴２０８，２０９は、ライト１００のバッテリ装着部１１０に装着したとき、このバッテリ装着部１１０に設けられている突起部１１５，１１６にそれぞれ係合される。
【００４１】
さらに、ガイド穴２０８とガイド穴２０９との間には、ライト１００のバッテリ装着部１１０に装着したときにロック用突起部１１７と係合するロック穴２０７が形成されている。
【００４２】
また、ライト用バッテリ２００の底ケース２１２には、図５に示すように、その底面２１２ａに、ガイド溝２０１、識別用凹部２０２，２０３，２０４，２０５が形成されている。また、この底面２１２ａには、ガイド溝２０１から識別用凹部２０２にかけて沿うようにガイド溝２０６が形成されている。
【００４３】
ここで、ライト用バッテリ２００は、底ケース２１２に形成されているガイド溝２０１，２０６が、ライト１００のバッテリ装着部１１０に設けられた突起部と係合するか否かによって、ライト１００に適合したバッテリであるか否かが判断される。また、ライト用バッテリ２００は、この底ケース２１２に設けられた各識別用凹部２０２，２０３，２０４，２０５の有無により、このバッテリの機能が示されるようになっている。
【００４４】
続いて、ライト１００のバッテリ装着部１１０にライト用ケーブル３００のライト側コネクタ３１０が装着されるときの機械的及び電気的な接続関係について説明する。
【００４５】
図６は、バッテリ装着部１１０の端子部１１８側を拡大して示した斜視図である。ライト１００におけるバッテリ装着部１１０の端子部１１８には、ライト用バッテリ２００が装着されたときに、その前面部２２０に対向する突当面１２１が形成されている。この突当面１２１には、第１の接続端子１２２、第２の接続端子１２３、第３の接続端子１２４、及び第４の接続端子１２５が配設されている。
【００４６】
第１及び第２の接続端子１２２，１２３は、バッテリ装着部１１０の幅方向の両側に位置した状態で、突当面１２１にそれぞれ設けられている。すなわち、第１及び第２の接続端子１２２，１２３は、ライト用バッテリ２００の第１及び第２の出力端子２２１，２２２とそれぞれ電気的に接続される。
【００４７】
また、第３の接続端子１２４は、バッテリ装着部１１０のバッテリ載置面１１１から突出した状態で設けられた弾性変位可能な導電性金属片からなり、ライト用バッテリ２００の情報出力端子２２３に押圧されて電気的に接続されるようになっている。すなわち、第３の接続端子１２４は、ライト用バッテリ２００の情報出力端子２２３から出力される情報が入力される情報入力端子として機能する端子である。
【００４８】
また、第４の接続端子１２５は、バッテリ装着部１１０のバッテリ載置面１１１から突出した状態で設けられた弾性変位可能な導電性金属片からなり、後述するように、ライト用ケーブル３００のライト側コネクタ３１０が装着された状態で、このコネクタに設けられた端子との間で、電気的に接続されるようになっている。
【００４９】
この端子部１１８は、ライト用バッテリ２００の着脱方向ａ１，ａ２に移動されるシャッタ板１２６によって開閉されるようになっている。このシャッタ板１２６は、第１の端子１２２、第２の端子１２３、第３の端子１２４、及び第４の端子１２５を覆うことで、これらの端子を外部から保護するためのものであって、ライト用バッテリ２００の装着によりこれらの端子を開放し、ライト用バッテリ２００が取り外されると元の位置に復帰するために図示しないバネによる弾性力が付与されている。
【００５０】
また、バッテリ載置面１１１には、装着されるライト用バッテリ２００の底ケース２１２のガイド溝２０１に係合する位置にガイド凸部１２７が形成されている。このガイド凸部１２７は、バッテリ載置面１１１の長手方向と平行に形成されており、ライト用バッテリ２００を着脱方向にガイドする。
【００５１】
このように、バッテリ装着部１１０のバッテリ載置面１１１は、ライト用バッテリ２００及びライト側コネクタ３１０のみが係合する形状を有している。
【００５２】
続いて、ライト用ケーブル３００の構成について、図７を参照して詳細に説明する。
【００５３】
まず、ライト１００のバッテリ装着部１１０に装着されるライト側コネクタ３１０の構成について説明する。
【００５４】
ライト側コネクタ３１０には、バッテリ装着部１１０に装着されたときに、そのバッテリ載置面１１１と密接する基準面３１１が形成されている。ここで、この基準面３１１には、バッテリ装着部１１０に装着したときに、そのバッテリ装着部１１０の凹部１１２に密接する凸部３１２が形成されている。また、基準面３１１には、その略中央部から装着端に向けてガイド凹部３１３が形成されている。
【００５５】
また、凸部３１２には、バッテリ装着部１１０に装着したときに、このバッテリ装着部１１０の凹部１１２に押圧される押圧部３１４が設けられている。
【００５６】
また、ライト側コネクタ３１０には、リブを有するガイド穴３１５，３１６が、基準面３１１の長手方向の相対した位置にそれぞれ形成されている。これらのガイド穴３１５，３１６は、バッテリ装着部１１０に装着されたときに、このバッテリ装着部１１０に設けられている突起部１１５，１１６にそれぞれ係合される。
【００５７】
さらに、ガイド穴３１５とガイド穴３１６との間には、バッテリ装着部１１０に装着されたときに、このバッテリ装着部１１０のロック用突起部１１７と係合して、バッテリ装着部１１０に装着されたライト側コネクタ３１０のスライドを規制するためのロック穴３１７が形成されている。
【００５８】
また、ライト側コネクタ３１０には、装着方向の前面部に、基準面３１１の幅方向の両側に第１の出力端子３１８及び第２の出力端子３１９がそれぞれ配置されている。また、ライト側コネクタ３１０には、第１の出力端子３１８に隣接した情報出力端子３２０と、第２の出力端子３１９に隣接したコネクタ側通信端子３２１とがそれぞれ配設されている。
【００５９】
この第１の出力端子３１８及び第２の出力端子３１９は、バッテリ装着部１１０に装着したときに、このバッテリ装着部１１０の第１の端子１２２及び第２の端子１２３と電気的に接続されて、電源電極として機能する。また、この情報出力端子３２０及びコネクタ側通信端子３２１は、バッテリ装着部１１０に装着したときに、このバッテリ装着部１１０の第３の接続端子１２４及び第４の接続端子１２５とそれぞれ電気的に接続される。
【００６０】
次に、ライト用バッテリ２００を装着するバッテリ側コネクタ３５０の構成について説明する。
【００６１】
このバッテリ側コネクタ３５０には、装着されたライト用バッテリ２００の底面２１２ａと密接するバッテリ載置面３５１と、このバッテリ載置面３５１の略中央部に形成された凹部３５２とが設けられている。
【００６２】
バッテリ載置面３５１には、装着されたライト用バッテリ２００の底面２１２ａを装着方向にガイドするためのガイド凸部３５３が形成されている。
【００６３】
また、バッテリ側コネクタ３５０には、装着されたライト用バッテリ２００のガイド穴２０８，２０９とそれぞれ係合する突起部３５４，３５５が形成されている。また、この突起部３５４と突起部３５５との間には、バッテリ載置面３５１に対する垂直方向に移動可能で、ライト用バッテリ２００のロック穴２０７に係合されるロック用突起部３５７が設けられている。
【００６４】
また、バッテリ側コネクタ３５０には、その装着端側に、ライト用バッテリ２００との間で電気的な接続を行う端子部３５８が形成されている。この端子部３５８は、複数の入力端子からなり、これらの端子を外部から保護するためにシャッタ板３６０が設けている。ここで、端子部３５８は、第１の接続端子３５８ａ、第２の接続端子３５８ｂ、第３の接続端子３５８ｃが配設されている。
【００６５】
第１及び第２の接続端子３５８ａ，３５８ｂは、バッテリ載置面３５１の幅方向の両側に位置した状態でそれぞれ設けられている。すなわち、第１及び第２の接続端子３５８ａ，３５８ｂは、ライト用バッテリ２００の第１及び第２の出力端子２２１，２２２とそれぞれ電気的に接続される。
【００６６】
また、第３の接続端子３５８ｃは、バッテリ載置面３５１から突出した状態で設けられた弾性変位可能な導電性金属片からなり、ライト用バッテリ２００の情報出力端子２２３に押圧されて電気的に接続されるようになっている。
【００６７】
また、バッテリ載置面３５１には、装着されるライト用バッテリ２００の底ケース２１２のガイド溝２０１に係合する位置にガイド凸部３５９が形成されている。このガイド凸部３５９は、バッテリ載置面３５１の長手方向と平行に形成されており、ライト用バッテリ２００を着脱方向にガイドする。
【００６８】
このようにして、バッテリ側コネクタ３５０には、ライト用バッテリ２００の底ケース２１２の底面２１２ａと係合する係合面を有しており、ライト用バッテリ２００が装着したときに、ライト用バッテリ２００の第１の出力端子２２１、第２の出力端子２２２、及び情報出力端子２２３から出力される電力及び情報を、ケーブル部３４０を介してライト側コネクタ３１０へ伝送する。
【００６９】
＜ライト１００とライト用ケーブル３００と間で行われる認証処理＞
上述したように、ライト１００のバッテリ装着部１１０の形状は、ライト用バッテリ２００及びライト用ケーブル３００のライト側コネクタ３１０のみにそれぞれ係合するように形成されている。
【００７０】
しかしながら、ライト１００のバッテリ装着部１１０に装着可能なバッテリ及びコネクタを模倣することは容易である。よって、本実施の形態に係るライト１００及びライト用ケーブル３００では、正規品同士が電気的に接続されたか否かを精度良く認証するために、次に示すような処理を行う。
【００７１】
ライト１００は、図８に示すように、バッテリ装着部１１０にライト側コネクタ３１０が装着されたか否かの装着判断処理を行うとともに、ライト用ケーブル３００のライト側コネクタ３１０との間で認証処理を行う供給制御部１５０を備えている。また、ライト用ケーブル３００のライト側コネクタ３１０には、バッテリ装着部に装着されたか否かを判断する装着判断処理を行うとともに、ライト１００へ電力を供給を制御する供給制御スイッチ３３０と、ライト１００の供給制御部１５０との間で認証処理を行う認証処理部３３５とを備えている。
【００７２】
ここで、ライト１００と、ライト用バッテリ２００と、ライト用ケーブル３００との間の電気的な接続関係について説明する。
【００７３】
前提として、ライト用ケーブル３００では、ライト側コネクタ３１０がライト１００のバッテリ装着部１１０に装着されており、バッテリ側コネクタ３５０にライト用バッテリ２００が装着されているものとする。また、ライト用バッテリ２００は、第１の出力端子２２１をこのバッテリの基準電圧＋Ｂの出力端とし、第２の出力端子２２２をこのバッテリのＧＮＤ端とし、情報出力端子２２３をこのバッテリの情報ＩＢの出力端とする。ライト用バッテリ２００は、これらの端子から、基準電圧＋Ｂとバッテリ情報ＩＢとを、ライト用ケーブル３００を介してライト１００に供給する。
【００７４】
ライト用ケーブル３００のライト側コネクタ３１０において、供給制御スイッチ３３０は、ＦＥＴ素子などによって構成され、ケーブル部３４０及びバッテリ側コネクタ３５０を介してライト用バッテリ２００の第１の出力端子２２１と、このライト側コネクタ３１０の第１の出力端子３１８と、それぞれ電気的に接続されている。この供給制御スイッチ３３０は、スイッチをオン／オフして、第１の出力端子３１８側に基準電圧＋Ｂを供給するか否かを切り換える。また、この供給制御スイッチ３３０は、認証処理部３３５と接続されている。
【００７５】
また、認証処理部３３５は、ケーブル部３４０及びバッテリ側コネクタ３５０を介してライト用バッテリ２００の第１の出力端子２１８と、このライト側コネクタ３１０のコネクタ側通信端子３２１と、それぞれ電気的に接続されている。
【００７６】
また、ライト側コネクタ３１０は、図９に示すように、基準電圧＋Ｂの電圧値を調整して認証処理部３３５に供給する電圧調整部３３６を備えている。また、認証処理部３３５は、供給制御スイッチ３３０と、押圧部３１４が有する電流スイッチ３１４ａと接続されている。この電流スイッチ３１４ａは、バッテリ装着部１１０に装着したときにこのバッテリ装着部１１０の凹部１１２に押圧されて電気的に接続される切換回路である。そして、この電流スイッチ３１４ａは、その一端が認証処理部３３５のＧＮＤ端に接続され、他端がライト用バッテリ２００のＧＮＤ端と電気的に接続されている。認証処理部３３５は、押圧部３１４が押圧されると電流スイッチ３１４ａがオンになり、認証処理部３３５に電流が流れて、後述する認証処理工程が開始される。すなわち、認証処理部３３５は、押圧部３１４の押圧動作により、バッテリ装着部１１０にライト側コネクタ３１０が装着されたか否かを判断する。
【００７７】
また、認証処理部３３５は、供給制御スイッチ３３０と電気的に接続されており、後述する認証結果に応じて、この供給制御スイッチ３３０を制御する。
【００７８】
ライト１００の供給制御部１５０には、第１の接続端子１２２を介して基準電力＋Ｂが供給される。また、この供給制御部１５０は、第３及び第４の接続端子１２４，１２５と電気的に接続されている。この供給制御部１５０は、第３の接続端子１２４を介してライト用バッテリ２００の情報が供給される。この供給制御部１５０は、第４の接続端子１２５を介してライト側コネクタ３１０の認証処理部３３５に後述するライト識別情報を送信する。
【００７９】
次に、ライト側コネクタ３１０の認証処理部３３５と、ライト１００の供給制御部１５０との間で行われる認証処理の処理工程について図１０を参照して説明する。なお、この認証処理部３３５及び供給制御部１５０は、例えば、マイクロコンピュータなどのプロセッサによって実装され、これらのプロセッサが次に示すフローチャートに応じたプログラムを実行することによって、処理が実行される。また、以下に示すフローチャートでは、認証処理部３３５と供給制御部１５０との間で通信を行いながら処理が行われるので、時系列に沿って各処理工程を説明する。
【００８０】
ステップＳ１０１において、認証処理部３３５は、ライト側コネクタ３１０がバッテリ装着部１１０に装着されることにより、押圧部３１４が押圧されて電流スイッチ３１４ａがオンになることで電流が流れて起動する。
【００８１】
ステップＳ１０２において、認証処理部３３５は、供給制御スイッチ３３０をオンにして、ライト側コネクタ３１０からライト１００へ基準電圧＋Ｂを供給して、この後ライト１００から送信されてくるライト識別情報を受信するために待機して、ステップＳ１０３に進む。
【００８２】
続いて、ステップＳ１０３の処理工程の説明に先立ち、電力供給側であるライト１００の供給制御部１５０の処理工程について説明する。
【００８３】
ステップＳ２０１において、供給制御部１５０は、ライト側コネクタ３１０から基準電圧＋Ｂの電圧信号が供給されることによって起動して、ステップＳ２０２の処理工程に進む。
【００８４】
ステップＳ２０２において、供給制御部１５０は、バッテリ装着部１１０に設けられている押圧部１１４が押圧されているかを判断する。供給制御部１５０は、押圧部１１４が押圧されているときにはバッテリ装着部１１０にライト側コネクタ３１０が接続されていると判断してステップＳ２０３に進む。また、供給制御部１５０は、押圧部１１４が押圧されていないときにはバッテリ装着部１１０にライト側コネクタ３１０が接続されていると判断して、ライト側コネクタ３１０との認証処理を終了し、その後、ライト用バッテリ２００から供給されるバッテリの識別情報に基づいた認証処理を開始する。
【００８５】
ステップＳ２０３において、供給制御部１５０は、このライト１００のライト識別情報をバッテリ装着部１１０に形成されている第４の接続端子１２５から、ライト側コネクタ３１０へ送信する。具体的に、ライト識別情報とは、出荷時などにおいて予め、このライトの機種に応じて設定された情報である。ここで、このライト１００のライト識別情報は、供給制御部１５０に設けられた内部メモリなどに記録されており、本処理工程において供給制御部１５０により、ライト側コネクタ３１０へ送信される。
【００８６】
なお、供給制御部１５０は、ステップＳ２０３の終了後、ライト側コネクタ３１０から送信されてくる認証情報を受信するために待機して、ステップＳ２０４へ進む。
【００８７】
続いて、ステップＳ２０４の処理工程の説明に先立ち、電力供給元側であるライト側コネクタ３１０の処理工程について説明する。
【００８８】
ステップＳ１０３において、認証処理部３３５は、ライト１００の供給制御部１５０からコネクタ側通信端子３２１を介して送信されてくるライト識別情報を受信したか否かを判断する。ここで、ライト側コネクタ３１０は、ライト識別情報を受信しないときステップＳ１０４へ進み、ライト識別情報を受信したときにステップＳ１０５へ進む。
【００８９】
ステップＳ１０４において、認証処理部３３５は、ライト１００に基準電圧＋Ｂを供給してから待機可能時間を経過しているか否かを判断する。ここで待機可能時間とは、ライト１００への電力供給の開始時点から、その後ライト１００からライト識別情報を受信するまでに最大限待機可能な時間である。認証処理部３３５は、この待機可能時間を経過していないときにはステップＳ１０３に戻り、この待機可能時間を経過しているときにはステップＳ１０７へ進む。
【００９０】
ステップＳ１０５において、認証処理部３３５は、ライト１００から送信されてきたライト識別情報と、このライト用ケーブル３００の識別情報（以下、ケーブル識別情報という。）とに基づいて、次に示す識別情報の照合処理を行う。ここで、ケーブル識別情報とは、ライト用ケーブル３００の機種に応じて出荷時などに予め設定された情報である。また、ライト用ケーブル３００がライト１００に対応した機種であるため、ライト識別情報とケーブル識別情報とには、互いに共有した情報を有しているものとする。よって、認証処理部３３５は、識別情報の照合処理として、ライト識別情報及びケーブル識別情報から、共有情報があるか否かを判断する。そして、認証処理部３３５は、共有情報があるとき、すなわち本照合が成功したときにはステップＳ１０６へ進み、共有情報が無いとき、すなわち本照合が失敗したときにはステップＳ１０７へ進む。
【００９１】
ステップＳ１０６において、認証処理部３３５は、ライト１００へ認証が成功した旨の情報（以下、認証情報という。）を送信する。その後、認証処理部３３５は、ライト１００の供給制御部１５０との認証処理を終了するとともに、供給制御スイッチ３３０をオンにした状態に維持させてライト１００への電力供給を継続する。
【００９２】
ステップＳ１０６において、認証処理部３３５は、供給制御スイッチ３３０をオンからオフにさせて、ライト１００への電力供給を停止する。その後、認証処理部３３５は、ライト１００との認証処理を終了する。
【００９３】
続いて、ライト１００の供給制御部１５０が行う処理について説明する。
【００９４】
ステップＳ２０４において、供給制御部１５０は、ライト用ケーブル３００のライト側コネクタ３１０から第４の接続端子１２５を介して送信されてくる認証情報を受信したか否かを判断する。ここで、供給制御部１５０は、認証情報を受信しないときはステップＳ２０５へ進み、ライト識別情報を受信したときには次のようにして、ライト側コネクタ３１０との認証処理を終了する。すなわち、供給制御部１５０は、ライト側コネクタ３１０との認証処理を終了するとともに、第３の接続端子１２４へ供給されるライト識別情報に基づき、ライト用ケーブル３００を介して、ライト用バッテリ２００との間で認証処理を開始することとなる。
【００９５】
ステップＳ２０５において、供給制御部１５０は、ライト側コネクタ３１０へライト識別情報を送信してから待機可能時間を経過しているか否かを判断する。この待機可能時間とは、ライト識別情報を送信した後、ライト側コネクタ３１０から認証情報を受信するまでに最大限待機可能な時間である。供給制御部１５０は、この待機可能時間を経過していないときにはステップ２０４に戻り、この待機可能時間を経過しているときにはライト用ケーブル３００との間の認証処理を終了する。なお、待機可能時間を経過していなくても、ライト側コネクタ３１０からの電力供給が停止したときには、ライト用ケーブル３００との間の認証処理が終了される。
【００９６】
なお、ライト１００の供給制御部１５０は、上述したライト用ケーブル３００との認証が成功すると、このライト用ケーブル３００を介して伝送されてくるライト用バッテリ２００の識別情報に基づいて認証処理を行う。そして、ライト１００の供給制御部１５０は、ライト用バッテリ２００との認証が成功すると、ライト用バッテリ２００から供給される電力を使用して、通常動作、すなわち、被写体の照光動作を開始する。
【００９７】
このようにして、ライト１００及びライト用ケーブル３００は、ライト側コネクタ３１０の認証処理部３３５が、装着されたライト１００から送信されてくるライト識別情報に基づいて認証処理を行って（ステップＳ１０５）、認証が成功した後に携帯型電子機器が電力供給の制御を開始するので（ステップＳ１０６）、ライト１００に接続されるライト用バッテリ２００及びライト用ケーブル３００が正規品であるか否かの認証を精度良く行うことができる。
【００９８】
なお、本発明は、以下の実施形態のみに限定されるものではなく、本発明の要旨を逸脱しない範囲内において種々の変更が可能であることは勿論である。
【図面の簡単な説明】
【００９９】
【図１】本発明を適用した携帯型電子機器システムの一例を示す概略図である。
【図２】バッテリ装着部にライト用バッテリが装着されたライトを示す斜視図である。
【図３】バッテリ装着部の形状を示す図である。
【図４】ライト用バッテリの外観を示す斜視図である。
【図５】ライト用バッテリの底面図である。
【図６】バッテリ装着部の端子部の形状を拡大して示す斜視図である。
【図７】ライト用ケーブルの各部の形状を示す斜視図である。
【図８】ライト用ケーブルを介したライトとライト用バッテリとの電気的な接続関係を示す概略図である。
【図９】ライト側コネクタの内部に設けられた各部の電気的な接続関係を示す概略図である。
【図１０】ライトとライト用ケーブルとの間で行われる認証処理の処理工程を示すフローチャートである。
【符号の説明】
【０１００】
１００  ライト、１１０  バッテリ装着部、１１１，３５１  バッテリ載置面、１１２，３５２  凹部、１１３，３５３、１２７、３５９  ガイド凸部、１１４、３１４  押圧部、１１５、１１６、３５４、３５５  突起部、１１７、３５７  ロック用突起部、１１８，３５８  端子部、１２１  突当面、１２２、３５８ａ  第１の接続端子、１２３，３５８ｂ  第２の接続端子、１２４，３５８ｃ  第３の接続端子、１２５  第４の接続端子、１２６，３６０  シャッタ板、１５０  供給制御部、２００  ライト用バッテリ、２０１、２０６、２１１ｂ  ガイド溝、２０２、２０３、２０４、２０５  識別用凹部、２０７、３１７  ロック穴、２０８、２０９、３１５、３１６  ガイド穴、２１０  ケース、２１１  上ケース、２１１ａ  上面、２１２  底ケース、２１２ａ  底面、３００  ライト用ケーブル、３１０  ライト側コネクタ、３１１  基準面、３１２  凸部、３１３  ガイド凹部、３１８  第１の出力端子、３１９  第２の出力端子、３２０  情報出力端子、３２１  コネクタ側通信端子、３３０  供給制御スイッチ、３３５  認証処理部、３４０  ケーブル部、３５０  バッテリコネクタ
【図１】
2008141795.tif 000003
【図２】
2008141795.tif 000004
【図３】
2008141795.tif 000005
【図４】
2008141795.tif 000006
【図５】
2008141795.tif 000007
【図６】
2008141795.tif 000008
【図７】
2008141795.tif 000009
【図８】
2008141795.tif 000010
【図９】
2008141795.tif 000011
【図１０】
2008141795.tif 000012